(57)【要約】【課題】落葉拾集の手作業を、立位姿勢で快適に行うため、落葉を突き刺して拾集するフォーク状の拾集手段と、拾集手段に拾集した落葉を扱き落すための除去手段とを長柄の先端部に併設し、長柄の手元に付設した操作手段を介して、拾集手段及び除去手段の一方を操作し、他方に対して扱き落し動作を誘起し、拾集手段に集拾した落葉を、除去手段下方へ扱き落し可能とする落葉清掃手段の開発を課題とする。【解決手段】本考案は、落葉を突き刺して拾集可能とするフォーク状の拾集手段と、拾集した落葉を拾集手段より扱き落すための除去手段とを長柄の先端部に併設し、両手段の一方を操作することにより、他方に対する扱き落し動作を誘起し、拾集手段に拾集した落葉を、除去手段下方へ扱き落し可能とする操作手段を長柄の手元に付設してなる落葉清掃具を構成して課題を解決した。【選択図】図２
0003124775.tif 000002
【実用新案登録請求の範囲】
【請求項１】
落葉を突き刺して拾集可能とするフォーク状の拾集手段と、拾集した落葉を拾集手段より扱き落すための除去手段とを、長柄の先端部に併設し、両手段の一方を操作して他方に対する相対的動作としての扱き落し動作を誘起し、拾集手段に拾集した落葉を、除去手段下方へ扱き落し可能とする操作手段を、長柄の手元に付設してなり、落葉収集作業において、先ず、拾集手段により落葉を突き刺して拾集し、次に、長柄手元の操作手段を操作することにより、拾集手段と除去手段との間に、上記の扱き落し動作を誘起し、拾集手段に拾集した落葉を、除去手段下方へ扱き落すことを特徴とする落葉清掃具。
【考案の詳細な説明】
【技術分野】
【０００１】  本考案は、落葉清掃手段に関する。
【背景技術】
【０００２】  石組や築山など、複雑で狭隘な起伏を含む庭園、植込みや灌木樹間などの落葉拾集及び清掃手段として、熊手、箒及びブローワー型掃除機などが使用され、また、手作業用具として、杖の石突に針金や釘を植設し、落葉を突き刺して拾集するものがあり、その他、公知の手段としては、多数の針金やワイヤーを器枠や回転体に植設した清掃具（実開平６−５７１１４、特開平１０−２１９６４１）が提案されているが、いずれも、放射状に植設した多数の針金やワイヤーにより落葉を突き刺して拾集し、拾集した落葉を掻き落とすための除去手段も複雑、且つ比較的大型になり、平坦な広い敷地や庭園における落葉拾集作業に供用される。【０００４】  上記の落葉拾集・清掃手段は、いずれも、比較的広い平地や庭園における落葉拾集作業に適用されるが、取扱や使い勝手が必ずしも良好ではなく、また、石組や築山など、複雑で狭隘な起伏を含む庭園、花壇、植込や灌木樹間など、清掃が困難な場所における落葉拾集作業には適用し難しいため、手作業に依存することが多い。
【考案の開示】
【考案が解決しようとする課題】
【０００５】  本考案の解決しようとする課題として、上述の石組や築山など、狭隘な起伏の多い庭園、花壇、植込や灌木樹間など、通常の清掃用具の適用が困難な場所における落葉拾集の手作業を、立位姿勢で快適に行うため、落葉を突き刺して拾集するフォーク状の拾集手段と、拾集手段に拾集した落葉を扱き落すための除去手段とを長柄の先端部に併設し、長柄の手元に付設した操作手段を介して、拾集手段及び除去手段の一方を操作して、拾集手段に集拾した落葉を、除去手段下方へ扱き落し可能とする落葉清掃手段の開発を課題とする。
【課題を解決するための手段】
【０００６】  落葉を突き刺して拾集可能とするフォーク状の拾集手段と、拾集した落葉を拾集手段より扱き落すための除去手段とを、長柄の先端部に併設し、両手段の一方を操作し、他方に対する相対的動作として、扱き落し動作を誘起し、拾集手段に拾集した落葉を、除去手段下方へ扱き落し可能とする操作手段を、長柄の手元に付設してなり、落葉収集作業において、先ず、拾集手段により落葉を突き刺して拾集し、次に、長柄手元の操作手段を操作して、拾集手段と除去手段の間に、上記の扱き落し動作を誘起し、拾集手段に拾集した落葉を除去手段下方へ扱き落すことを特徴とする落葉清掃具により解決するものである。【０００７】  本考案の一実施例は、長柄の先端に支持腕を延設し、該支持腕先端部側方へ叉状のフォークを植設し、屈折梃子状の扱き棒の屈折端部を支持腕上位の支軸に軸支し、屈折位の力点と、長柄に内装したロッドの先端部とをピン連結し、該扱き棒は、支軸を支点として、ロッドを介して長柄の手元より傾動操作可能としてなり、落葉収集作業において、先ず、フォークに落葉を突き刺して拾集し、次に、長柄の手元より扱き棒の傾動操作を行うとき、扱き棒先がフォークの基部より尖端に亘り近接して通過し、扱き落し動作を呈することにより、拾集した落葉を、フォークより扱き棒先下方へ扱き落して除去することを特徴としている。【０００８】  本考案の他の実施例は、長柄の先端上位に、屈折梃子状の支桿屈折基部を軸支し、支桿先端部下側に叉状のフォークをに植設し、支桿屈折位の力点と、長柄に内装したロッドの先端部とをピン連結して長柄の手元より支桿ないしフォークを傾動操作可能とすると共に、支桿下位に沿いフォーク付近まで扱き棒を延設し、該傾動操作を行うことによりフォークの基部より尖端に亘り扱き棒先に近接して通過し、扱き落し動作を誘起可能としてなり、落葉収集作業において、先ず、フォークに落葉を突き刺して拾集し、次に、長柄の手元よりフォークを傾動操作して、拾集した落葉を、フォークより棒先下方へ扱き落して除去することとして課題を解決している。
【考案の効果】
【０００９】  本考案の落葉清掃具は、石組や築山など、狭隘な起伏の多い庭園、花壇、植込及び灌木樹間など、清掃が難しい場所において、落葉に限らず、扁平状の紙葉や塵芥など乾燥状又は湿潤状の清掃対象物を、長柄の先端側のフォークに突き刺して串刺状に拾集作業を行うことができる。【００１０】  また、フォークと扱き棒とは、一方を他方に対して傾動操作可能としており、長柄の手元より上記の傾動操作を行うことにより、フォーク全長に亘る扱き棒との相対的な動作としての扱き落し動作を呈し、フォークに拾集した落葉や清掃対象物を、扱き棒先下方へ扱き落して除去することができる。【００１１】  長柄の長さは、供用者の立位姿勢において、容易に操作可能な寸法に設定し、供用者は、中腰や屈み込み姿勢の手作業の代わりに、立位姿勢で作業負荷を軽減して律動的、且つ、快適に落葉清掃作業を行うことができる。【００１２】  そして、作業者は、落葉に限らず、扁平状の紙葉や塵芥など湿潤状又は汚損状の清掃対象物に接触することなく、間接処理が可能であって、衛生的に集拾・処理作業を行うことができる。【００１３】  本考案は、上述の特性により、通常の落葉清掃手段として供用するほか、作業負荷の小さい立位姿勢で律動的に作業を楽しみ、作業達成感を体験可能とする清掃手段として、作業療法用具や福祉機器分野にも適作業用できる。
【考案を実施するための最良の形態】
【００１４】  狭隘な起伏の多い庭園、花壇、植込や灌木樹間など、清掃が難しい場所における落葉拾集作業を、立位姿勢で快適に行う手段として、落葉を突き刺し串刺状に拾集可能とするフォーク状の拾集手段と、拾集した落葉を拾集手段より扱き落す除去手段とを長柄の先端部に併設し、両手段の一方を他方に対し、近接して傾動操作することにより両手段間に扱き落し動作を誘起可能とし、長柄の手元より該傾動操作を可能とする操作手段を付設してなり、落葉収集作業において、先ず、フォーク状の拾集手段により落葉を串刺状に突き刺して拾集し、次に、長柄の手元より上記傾動操作を行い、拾集手段と除去手段との間の相対的な動作として扱き落し動作を誘起することにより、拾集した落葉を拾集手段より除去手段下方へ扱き落して除去することを特徴とする落葉清掃具により実現した。
【実施例１】
【００１５】  以下、本考案の一実施例を図面に従って説明する。図１は、本考案一実施例の全形側面図を示し、図２は、図１の要部詳細の断面図であって、図３は図１全形の斜視図を示し、管状の長柄１先端側位に延設した支持腕２先端部下側に、叉状のフォーク３を植設し、該支持腕の基部付近に開口する溝穴１ｂ上位に支設した支軸４ａに、屈折梃子状の扱き棒４の屈折基端部の支点位を軸支し、屈折部の力点４ｂと、長柄に挿通したロッド５の先端部とをピン連結し、該力点部と長柄内の中途との間にバネ６を圧装し、ロッド５を介して扱き棒４の先端部を、常時、フォークの基部付近の上限位ｐ１へ傾動するよう付勢し、長柄の手元側端部には、中空状の把手１ａを連設し、同中空部へ凸出するロッド５の端部に、引金５ａを把手外へ凸設してなり、落葉集拾作業において、先ず、バネの付勢により、扱き棒４の先端部がフォーク基部付近の上限位ｐ１に在るとき、フォークを落葉に突き刺して串刺状に集拾し、次に、バネの付勢に抗して行程Ｓまで引金を引き、ロッドを介して、扱き棒の先端を、フォーク尖端付近の下限位ｐ２まで傾動操作することにより、傾動角θの間において扱き落し動作を誘起し、集拾した落葉をフォークより扱き棒先下方へ扱き落して除去することとしている。
【実施例２】
【００１６】  本考案他の実施例を図４〜図６に従って説明すると、管状の長柄１先端側位に、扱き棒４の基部を連設し、該扱き棒の基部付近に、屈折梃子状の支桿３ａの支点を長柄１先端下側位に支設した支軸４ａにより軸支し、該支桿の先端部に叉状のフォーク３を下向きに植設し、同支桿の屈折部の力点４ｂと、長柄に挿通したロッド５の先端部とをピン連結し、長柄基端部には、中空状の把手１ａを連設し、同中空部へ凸出するロッドの端部に、引金５ａを、把手外へ凸設してなり、落葉集拾作業において、先ず、バネの付勢により、フォーク尖端が下限位ｔ１にあるとき、フォークに落葉を突き刺し串刺状に集拾し、次に、バネの付勢に抗して行程Ｓまで引金を引き、ロッド及び支桿を介して、フォーク尖端を扱き棒先端付近の上限位ｔ２へ傾動操作し、傾動角θの間において扱き落し動作を誘起し、扱き棒先端部により、フォークに集拾した落葉を扱き棒下方へ扱き落して除去することとしている。【００１７】  そして、実施例１及び２において、図３及び図６に示すフォーク３は、二叉のものを示しているが、落葉を確実に突刺し集拾するために、複数本の構成とし、フォークに集拾した落葉を全て確実に扱き落すため、扱き棒４の先端部を、フォークに沿い、叉状に分岐して形成してもよい。【００１８】  また、実施例１及び２において、フォーク３の尖端部は危険防止のため、落葉を突き刺すに支障のない限り、鈍く丸めることとし、使用しないとき、尖端保護のため、挿脱可能な保護キャップ（図示省略）を装着すると共に、実施例１においては、扱き棒先端を下限位ｐ２に保持し、実施例２においては、フォーク尖端を上限位ｔ２に保持して保管するため、それぞれ、ロック装置（図示省略）を付設することとする。
【産業上の利用可能性】
【００１９】  本考案は、石組や築山など、狭隘な起伏の多い庭園、花壇、植込及び灌木樹間におけ落葉拾集・清掃手段として適用すると共に、中腰や、屈み込み姿勢で行う落葉拾集・清掃の手作業の代わりに、作業負荷の小さい立位姿勢で律動的に作業を楽しみ、作業達成感を体験可能とする清掃手段として、作業療法用具や福祉機器分野にも適用できる。
【図面の簡単な説明】
【００２０】
【図１】  本考案一実施例の全形側面の立面図である。（実施例１）
【図２】  図１の要部詳細の断面図である。（実施例１）
【図３】  図１の斜視図である。（実施例１）
【図４】  本考案他の実施例の全形側面の立面図である。（実施例２）
【図５】  図４の要部詳細の断面図である。（実施例２）
【図６】  図４の斜視図である。（実施例２）
【符号の説明】
【００２１】１    長柄
１ａ  把手
１ｂ  溝穴
２    支持腕
３    フォーク
３ａ  支桿
４    扱き棒
４ａ  支軸
４ｂ  力点
５    ロッド
５ａ  引金
６    バネ
Ｓ    ロッド及び引金の行程
θ    傾動角（実施例１の扱き棒傾動角、実施例２のフォーク傾動角）
ｐ１  扱き棒先端の上限位（実施例１）
ｐ２  扱き棒先端の下限位（実施例１）
ｔ１  フォーク尖端の下限位（実施例２）
ｔ２  フォーク尖端の上限位（実施例２）
【図１】
0003124775.tif 000003
【図２】
0003124775.tif 000004
【図３】
0003124775.tif 000005
【図４】
0003124775.tif 000006
【図５】
0003124775.tif 000007
【図６】
0003124775.tif 000008